【手続補正書】
【提出日】平成26年2月26日(2014.2.26)
【手続補正１】
【補正対象書類名】明細書
【補正対象項目名】００１９
【補正方法】変更
【補正の内容】
【００１９】
制御部ユニット３は、表示部ユニット４から伝送されてきたドライバＩＣ４１の故障情報から故障位置を特定すると共に、前段の映像コントローラ２から伝送されてきた映像データに対してオフセット（ずらす）を付加または無付加して表示部ユニット４のドライバＩＣ４１に伝送する点灯データを生成する。
即ち、制御部ユニット３は、故障時の対策として、映像コントローラ２から伝送された映像データが縮小表示された映像データ（静止画モード）の場合、映像データに対して故障したドライバＩＣをバイパスしてオフセットを付加しない表示とした点灯データを生成する。一方、映像コントローラ２から伝送された映像データが通常表示の映像データ（動画モード）の場合、映像データに対して故障したドライバＩＣをバイパスしてオフセットを付加した表示とした点灯データを生成するようにする。 
【手続補正２】
【補正対象書類名】明細書
【補正対象項目名】００２４
【補正方法】変更
【補正の内容】
【００２４】
上記構成において、この発明における効果を模式的に表した図３に基づいて説明する。図３は５個の表示部ユニット４ａ〜４ｅがカスケード接続されて１つの映像表示装置を構成したもので、接続される数はこれに限定されるものでない。
このように構成された映像表示装置は、映像ソース１からの映像信号を表示部ユニット４ａ〜４ｅにて表示している。その表示部ユニット４ａ〜４ｅでの表示状態は、正常の場合は図３（ａ）に示すようにアルファベット「Ａ」から「Ｏ」までの情報が縮小されることなく正常表示となっている。
【手続補正３】
【補正対象書類名】明細書
【補正対象項目名】００２８
【補正方法】変更
【補正の内容】
【００２８】
以上の動作を静止画モードと動画モードに分けて図４〜図７に基づいて詳しく説明する。図４はこの発明における静止画モードの駆動方式を示した図である。図４（ａ）は映像表示装置を構成する複数の表示部ユニット４のうち、１つの表示部ユニット４（ＤＵ１）を示し、図４（ｂ）はその表示部ユニット４（ＤＵ１）の内部構成を示し、図４（ｃ）は映像コントローラ２、制御部ユニット３および表示部ユニット４におけるデータおよび表示状態を示す図である。
【手続補正４】
【補正対象書類名】明細書
【補正対象項目名】００２９
【補正方法】変更
【補正の内容】
【００２９】
図４（ａ）に示すように表示部ユニット４（ＤＵ１）には複数のドライバＩＣ４１（Ｄｒ）が搭載されている。各ドライバＩＣ４１（Ｄｒ）はそれぞれ映像表示エリアを担当しており、図の表示部範囲にはドライバＩＣ４１（Ｄｒ１３）の表示エリアを示してある。
また、図４（ｂ）に示すようにドライバＩＣ４１（Ｄｒ）はエラー状態になると、個々がそれぞれエラー信号を出力する。このエラー信号は、故障情報の伝送手段４５であるスリーステートＩＣ４５Ａがアクティブなときのみ上位へ伝達される。
【手続補正５】
【補正対象書類名】明細書
【補正対象項目名】００３１
【補正方法】変更
【補正の内容】
【００３１】
図４（ｃ）は表示部ユニット４ｂ（ＤＵ２）の左下部１／３をドライブしているドライバＩＣ４１（Ｄｒ１３）と、右中部１／３をドライブしているドライバＩＣ４１（Ｄｒ３２）と、表示部ユニット４ｃ（ＤＵ３）の真中部１／３をドライブしているドライバＩＣ４１（Ｄｒ２２）の３箇所が故障したと検出された場合の映像データおよび表示状態を示している。
【手続補正６】
【補正対象書類名】明細書
【補正対象項目名】００３２
【補正方法】変更
【補正の内容】
【００３２】
静止画モードの場合、映像コントローラ２からの映像データは、調整前と調整後の図から明らかのように映像表示範囲を表示ユニット５個幅分から４個幅になるように縮小処理されて出力される。一方、制御部ユニット３は故障したドライバＩＣ４１の列にある全てのドライバＩＣ４１に対してバイパス指示を選択回路４３に対して行う。さらに制御部ユニット３は静止画モードの場合においては、故障したドライバＩＣ４１の表示エリアをオフセットせずに（オフセット付加しない）、映像コントローラ２から伝送されてきた映像データの調整も行わないで点灯データを生成する。
このようにすることにより、図４（ｃ）の最下部に示すように、故障したドライバＩＣ４１の担当する表示エリアの箇所は非表示となるが、表示部ユニット４ａ〜４ｅの全体に渡ってアルファベット「Ａ」から「Ｏ」までの情報が縮小された映像として映しだされる。 
【手続補正７】
【補正対象書類名】明細書
【補正対象項目名】００３４
【補正方法】変更
【補正の内容】
【００３４】
図５はこの発明における動画モードの駆動方式を示した図である。図５（ａ）は映像表示装置を構成する複数の表示ユニット４のうち、１つの表示ユニット４（ＤＵ１）を示し、図５（ｂ）はその表示ユニット４（ＤＵ１）の内部構成を示し、図５（ｃ）は映像コントローラ２、制御部ユニット３および表示部ユニット４におけるデータおよび表示状態を示す図である。
【手続補正８】
【補正対象書類名】明細書
【補正対象項目名】００３５
【補正方法】変更
【補正の内容】
【００３５】
図５（ａ）および図５（ｂ）に示すように、図４と同様に表示部ユニット４（ＤＵ１）には複数のドライバＩＣ４１（Ｄｒ）が搭載され、ドライバＩＣ４１（Ｄｒ）がエラー状態になると、個々がそれぞれエラー信号を出力する。このエラー信号は、図４の静止画モードと同じ理論により、故障情報の伝送手段４５であるスリーステートＩＣ４５Ａがアクティブなときのみ上位へ伝達されるので故障したドライバＩＣ４１の位置を把握することが出来る。
【手続補正９】
【補正対象書類名】明細書
【補正対象項目名】００３６
【補正方法】変更
【補正の内容】
【００３６】
図５（ｃ）は図４の静止画モードと同じように、表示部ユニット４ｂ（ＤＵ２）の左下部１／３をドライブしているドライバＩＣ４１（Ｄｒ１３）と、右中部１／３をドライブしているドライバＩＣ４１（Ｄｒ３２）と、表示部ユニット４ｃ（ＤＵ３）の真中部１／３をドライブしているドライバＩＣ４１（Ｄｒ２２）の３箇所が故障したと検出された場合の映像データおよび表示状態を示している。
【手続補正１０】
【補正対象書類名】明細書
【補正対象項目名】００３７
【補正方法】変更
【補正の内容】
【００３７】
動画モードの場合、映像コントローラ２からの映像データは、図から明らかのようにドライバＩＣ４１が故障していない場合と同じ通常表示の映像データが処理されて出力される。一方、制御部ユニット３は、故障したドライバＩＣ４１の列にある全てのドライバＩＣ４１に対してバイパス指示を選択回路４３に対して行う。さらに制御部ユニット３は動画モードの場合においては、故障したドライバＩＣ４１の表示エリアにオフセットを付加し、映像コントローラ２から伝送されてきた映像データの調整は行わない。こうして制御部ユニット３の点灯データは、調整前と調整後の図から明らかのように、故障したドライバＩＣに対応する表示エリアの情報であるアルファベット「Ｄ」「Ｆ」「Ｈ」の映像は非表示とした点灯データを生成する。
このようにすることにより、図５（ｃ）の最下部に示すように、故障したドライバＩＣ４１の担当する表示エリアの箇所は非表示で欠けたものとなるが、表示部ユニット４ａ〜４ｅの全体に渡ってアルファベット「Ａ」から「Ｏ」までの情報（但し「Ｄ」「Ｆ」「Ｈ」はなし）が映像として映しだされる。
【手続補正１１】
【補正対象書類名】明細書
【補正対象項目名】００３９
【補正方法】変更
【補正の内容】
【００３９】
次に制御部ユニット３におけるオフセットの方法を図６に基づいて説明する。図６（ａ）はドライバＩＣ４１が担当する表示エリアの判別方法を示し、１つの表示部ユニット４が列方向にアルファベット「Ａ」「Ｂ」「Ｃ」の３文字を表示する場合について説明する。
左列のドライバＩＣ４１が担当する表示エリア（Ａを表示）の４角の座標を
(001,001)(100,001)(001,100)(100,100)
中列のドライバＩＣ４１が担当する表示エリア（Ｂを表示）の４角の座標を
(101,001)(200,001)(101,100)(200,100)
右列のドライバＩＣ４１が担当する表示エリア（Ｃを表示）の４角の座標を
(201,001)(300,001)(201,100)(300,100)としておく。